(57)【要約】      （修正有）【課題】ブックエンドの底板に小側板を１枚もしくは複数枚設けることにより、書籍やファイルのズレ等を最小限に抑え、書籍やファイルが倒れるのを防ぐ。【解決手段】ブックエンドの底板１１の一部にコの字型の切り込みをいれ、コの字型の内側部分に当たる面を、底板１１に対し垂直又はほぼ垂直な程度に、また、側板１３に対しては平行又はほぼ平行な程度に上側へ折曲して小側板１２ａ、１２ｂ、を設けた。小側板は１枚でも３枚以上でもかまわないし、小側板の位置や形状、大きさが１枚１枚異なっていてもかまわない。【選択図】図１
0003119858.tif 000002
【実用新案登録請求の範囲】
【請求項１】
底板と側板とを持つブックエンドにおいて、底板に、底板に対しほぼ垂直に形成された小側板を持つブックエンド。
【考案の詳細な説明】
【技術分野】
【０００１】本考案は、書籍やファイルが倒れにくいように工夫されたブックエンドに関する。
【背景技術】
【０００２】従来より、書籍やファイルを倒れにくくする構造のものはブックエンドや本立て等でいろいろと考案されてきた。しかし、いずれも構造が複雑であったり効果が低いものであった。
【考案の開示】
【考案が解決しようとする課題】
【０００３】これまでのブックエンドは通常左右一対で使用し、その間に書籍やファイルを立て、立てた書籍やファイルが倒れないように隙間無く左右から挟む等して使用していた。しかし、立てた書籍やファイルが少ない場合や、立ててある書籍やファイルの一部を取り出した場合など、立ててある書籍やファイルの間に隙間が生じた場合には、立ててある書籍やファイルがななめに倒れかかったり、また、表紙等がやわらかい書籍やファイルであれば、書籍やファイルそのものが湾曲したりズレたりして、場合によっては立ててある書籍やファイルが倒れたりしていた。
【課題を解決するための手段】
【０００４】本考案は以上のような課題を解決するため、底板に１枚もしくは複数枚の小側板を設けることを特徴とする。
【考案の効果】
【０００５】底板に小側板を設けることにより、それがストッパーとなり、斜めに倒れかかったり湾曲してズレたりするのが最小限に抑えられ、ひいては書籍やファイルが倒れるのを防ぐことができる。
【考案を実施するための最良の形態】
【実施例】
【０００６】図１は従来のブックエンドの底板１１の一部にコの字型の切り込みをいれ、コの字型の内側部分に当たる面を、底板１１に対し垂直又はほぼ垂直な程度に、また、側板１３に対しては平行又はほぼ平行な程度に上側へ折曲して小側板１２ａ、１２ｂ、を設けた、本考案に係るブックエンドの１番目の実施例の参考図である。図１では２枚の小側板を設けてあるが、小側板は１枚でも３枚以上でもかまわないし、小側板の位置や形状、大きさが１枚１枚異なっていてもかまわない。【０００７】図２は、底板２１に小側板２２ａ、２２ｂ、２２ｃ、２２ｄ、を設けた、本考案に係るブックエンドの２番目の実施例の参考図である。
小側板２２ａ、２２ｂ、２２ｃ、２２ｄは側板２３に対し平行又はほぼ平行で、かつ、小側板２２ａと２２ｃ、２２ｂと２２ｄはそれぞれ側板２３から等距離またはほぼ等距離に設けられており、図１の実施例よりも書籍やファイルの安定性をより高めようとしたものである。【０００８】図３は、底板３１の任意の位置に、小側板３２を取り付けるための穴３４を任意の数設け、その穴の１つに小側板を一枚取り付けた、本考案に係るブックエンドの３番目の実施例の参考図である。小側板３２をブックエンド本体から取り外せる構造にすることにより、立てかける書籍やファイルに応じて、小側板の位置や数を変更できるようにしたものである。【０００９】図６は、通常書籍やファイルを置く部分の底板を２片設け（４１ａ、４１ｂ）、その２片の底板の任意の位置に小側板４２（図７参照）を取り付けるための穴４４を任意の数設け、また、この２片の底板４１ａ、４１ｂ及び、通常は書籍やファイルを置かない部分（側板４３を挟んで通常書籍やファイルを置く部分４１ａ、４１ｂとは反対側の部分）である底板４１ｃの底部にゴム等の滑り止め材４５を取り付けた、本考案に係るブックエンドの４番目の実施例の参考図である。（底板の４１ａ、４１ｂ、４１ｃは全て同じ１枚の底板で、４１ａ、４１ｂ、４１ｃという名称は、それぞれの部分をあらわした呼称である。）これに使用する小側板は図７に記載してある４２である。【００１０】この４番目の実施例は、下記５点の効果を考えたものである。
まず第１は、通常書籍やファイルを置く部分の底板を複数片（この実施例では２片）にすることにより、２番目の実施例（図２）同様、書籍やファイルの安定性をより高める効果。
第２は、３番目の実施例（図３）同様、小側板４２（図７参照）をブックエンド本体から取り外せる構造にすることにより、立てる書籍やファイルに応じて小側板の位置や数を変更できるようにして、利便性をより高める効果。
第３は、小側板の形状をＬ字型にすることにより、３番目の実施例で使用する小側板（３２）に比べ小側板の加工を容易にする効果。
第４は、底板に設けた、小側板を取り付けるための穴の形状を単純な溝（底板上面の穴の形状と底板底面の穴の形状が同じ）とする事で、ブックエンドそのものの加工を容易にする効果。
第５は、底板の底部にゴム等の滑り止め材を取り付けることにより、書籍やファイルの重さ等によるブックエンドの移動を防止すると同時に、小側板を取り付けた際のブックエンドのガタつきを防止する効果。（その為、滑り止め財の高さは、滑り止め材の材質にもよるが、小側板のＬ字型の底辺部分（ブックエンド底板の下になる部分）の高さより少し高い程度が良い。）【００１１】図１０は、図１の、一番目の実施例のブックエンドの底板の位置を、側板５３の左側部分に相当する位置とする事で、２枚のブックエンドを向かい合わせで使用する際に書籍やファイルが少なくても底板同士が重ならないように底板の位置や形状を工夫した、本考案に係るブックエンドの５番目の実施例の参考図である。底板５１の位置は側板５３の右側部分に相当する位置としてもよい。
【図面の簡単な説明】
【００１２】
【図１】「本考案に係るブックエンドの１番目の実施例の参考図である。」
【図２】「本考案に係るブックエンドの２番目の実施例の参考図である」。
【図３】「本考案に係るブックエンドの３番目の実施例の参考図である。」
【図４】「３番目の実施例で使用する小側板の参考図である。」
【図５】「３番目の実施例において、ブックエンドの底板に小側板を下から差し入れているところを真横から拡大して見た透視図である。」
【図６】「本考案に係るブックエンドの４番目の実施例の参考図である。」
【図７】「４番目の実施例で使用する小側板の参考図である。」
【図８】「４番目の実施例において、ブックエンドの底板に小側板を下から差し入れているところを真横から拡大して見た透視図である。」
【図９】「４番目の実施例において、ブックエンドの底板に小側板を下から差し入れたところを斜め下から拡大して見た参考図である。」
【図１０】「本考案に係るブックエンドの５番目の実施例の参考図である。」
【符号の説明】
【００１３】１１，２１，３１，４１ａ，４１ｂ，４１ｃ，５１底板
１２ａ，１２ｂ，２２ａ，２２ｂ，２２ｃ，２２ｄ，３２，４２，５２ａ，５２ｂ小側板
１３，２３，３３，４３，５３側板
３４，４４穴
４５滑り止め材
【図１】
0003119858.tif 000003
【図２】
0003119858.tif 000004
【図３】
0003119858.tif 000005
【図４】
0003119858.tif 000006
【図５】
0003119858.tif 000007
【図６】
0003119858.tif 000008
【図７】
0003119858.tif 000009
【図８】
0003119858.tif 000010
【図９】
0003119858.tif 000011
【図１０】
0003119858.tif 000012